(57)【要約】      （修正有）【課題】副搬送波の周波数が変化する場合であっても、副搬送波の高調波を抑圧する。【解決手段】質問波は応答器のアンテナ４０により受信された後、変復調器１０で復調されてコントローラへ出力される。コントローラは質問波の内容に基づいて送信する情報を作成する。パターンジェネレータ３３は擬似ランダムパターンを発生し、発振器３１と抑圧部２０の切り替え器２５とに出力する。発振器３１により発生された副搬送波は１次変調器３２によりコントローラから入力された情報に基づいて１次変調され、抑圧部２０に出力される。抑圧部２０は、擬似ランダムパターンに基づいて、切り替え器２５により対応するコンデンサ２２ａ〜２２ｃとグランドとを選択的に接続することで、副搬送波の周波数に対応したＣＲフィルタを構成する。副搬送波は抑圧部２０により高調波を抑圧された後、質問波を２次変調されてアンテナ４０から反射波として質問器に送信される。【選択図】        図２
2004297686.tif 000002
【特許請求の範囲】
【請求項１】
質問器から主搬送波を含む質問波を送信して、前記質問波を受信した応答器が、前記質問器に対して、前記質問波を所定の情報で変調して変調反射波を送信する通信システムの応答器であって、
副搬送波の周波数を設定するためのパターンを発生するパターン発生手段と、前記パターン発生手段により発生された前記パターンに基づいて設定された周波数の副搬送波を発生する副搬送波発生手段と、
前記副搬送波発生手段により発生された前記副搬送波を送信情報により１次変調する１次変調手段と、
前記１次変調手段により変調された１次変調波の高調波を前記副搬送波の周波数に応じて周波数特性を切り替えて抑圧する抑圧手段と、
前記質問波を受信するとともに、前記質問波を、前記抑圧手段により高調波を抑圧された前記１次変調波により２次変調して反射する変調反射手段とを備えることを特徴とする通信システムの応答器。
【請求項２】
前記抑圧手段により切り替え可能な周波数特性の数は、前記副搬送波発生手段により発生可能な前記副搬送波の周波数の数より少なく設定されていることを特徴とする請求項１に記載の通信システムの応答器。
【請求項３】
前記抑圧手段は、前記パターン発生手段により発生される前記パターンに基づいて周波数特性を切り替えることを特徴とする請求項２に記載の通信システムの応答器。
【請求項４】
前記抑圧手段は、前記周波数特性としてのカットオフ周波数を、実質的に前記副搬送波の周波数の１／２以上、且つ実質的に前記副搬送波の周波数以下に設定することを特徴とする請求項２または３に記載の通信システムの応答器。
【請求項５】
前記抑圧手段は、前記周波数特性としてのカットオフ周波数を、カットオフ周波数に対し２を公比とする等比数列の項の倍率に従って設定することを特徴とする請求項２から４のいずれか１項に記載の通信システムの応答器。
【請求項６】
前記抑圧手段は、コンデンサと抵抗とで異なる前記周波数特性としてのカットオフ周波数の組み合わせが構成され、前記コンデンサまたは前記抵抗の接続を切り替えることで前記周波数特性としてのカットオフ周波数を切り替えることを特徴とする請求項２から５のいずれか１項に記載の通信システムの応答器。
【請求項７】
前記抑圧手段は、コンデンサと可変抵抗と、または可変容量コンデンサと抵抗とを有し、前記可変抵抗の抵抗値、または前記可変容量コンデンサの容量値を変化させることで前記周波数特性としてのカットオフ周波数を切り替えることを特徴とする請求項２から５のいずれか１項に記載の通信システムの応答器。
【請求項８】
前記１次変調手段は、前記１次変調波を出力する複数の出力ポートを備え、
前記１次変調波は、前記１次変調手段の複数の前記出力ポートに分けて、または特定の前記出力ポートから出力され、
前記抑圧手段は、複数の前記出力ポートに夫々接続される複数の入力ポートを備え、前記１次変調波が入力された夫々の前記入力ポートに対応して前記周波数特性としてのカットオフ周波数を切り替えることを特徴とする請求項２から７のいずれか１項に記載の通信システムの応答器。
【請求項９】
前記副搬送波は、前記パターン発生手段により発生される前記パターンに基づいて複数の周波数の中で周波数ホッピングされるとともに、
前記抑圧手段は、グループ化された、前記パターン発生手段により発生されるパターンの示す副搬送波の周波数に対応した所定の前記周波数特性を選択して切り替えることを特徴とする請求項２から８のいずれか１項に記載の通信システムの応答器。
【発明の詳細な説明】
【０００１】
【発明の属する技術分野】
本発明は、質問器が質問波を送信し、質問波を受信した複数の応答器が返信情報を反射して質問器に返信する通信システムの応答器に関する。
【０００２】
【従来の技術】
質問器から複数の応答器へ主搬送波を送り、主搬送波を受信した応答器が主搬送波に対して応答器識別信号情報等で変調を行った反射波信号を質問器に返信する通信システムが知られている。この通信システムでは、応答器を安価に製作することが可能であり、特に多数の応答器を持つ通信システムにおいてコストパフォーマンスに優れたものである。しかし、この通信システムにおいては、応答器からの反射信号が、他の応答器からの反射信号の高調波信号により潰される場合がある。そこで、応答器の出力部にフィルタを備えることで応答器から送信する反射信号の高調波信号を抑圧する方法が提案されている（例えば、特許文献１参照）。
【０００３】
【特許文献１】
特開２００２−１７６３７５号公報
【０００４】
【発明が解決しようとする課題】
しかしながら、周波数ホッピング方式を採用している応答器の場合は、副搬送波の周波数が送信する度に広範囲にわたって変化しているため、抑圧しなければならない周波数もその都度広範囲に変化し、特定の周波数を抑圧するフィルタを使用することができないという問題点がある。
【０００５】
そこで、本発明は、副搬送波の周波数が変化する場合でも、副搬送波の高調波を抑圧できる通信システムの応答器を提供することを目的とする。
【０００６】
【課題を解決するための手段】
請求項１に記載の通信システムの応答器は、質問器から主搬送波を含む質問波を送信して、前記質問波を受信した応答器が、前記質問器に対して、前記質問波を所定の情報で変調して変調反射波を送信する通信システムにおいて、副搬送波の周波数を設定するためのパターンを発生するパターン発生手段と、前記パターン発生手段により発生された前記パターンに基づいて設定された周波数の副搬送波を発生する副搬送波発生手段と、前記副搬送波発生手段により発生された前記副搬送波を送信情報により１次変調する１次変調手段と、前記１次変調手段により変調された１次変調波の高調波を前記副搬送波の周波数に応じて周波数特性を切り替えて抑圧する抑圧手段と、前記質問波を受信するとともに、前記質問波を、前記抑圧手段により高調波を抑圧された前記１次変調波により２次変調して反射する変調反射手段とを備えることを特徴とする。
請求項１によると、複数の応答器が異なる副搬送波を用いて質問器に情報を送信する際に、応答器の副搬送波と他の応答器の高調波との混信を少なくすることができる。
【０００７】
請求項２に記載の通信システムの応答器は、前記抑圧手段により切り替え可能な周波数特性の数が、前記副搬送波発生手段により発生可能な前記副搬送波の周波数の数より少なく設定されていることを特徴とする。
請求項２によると、切り替え可能な周波数特性が少ないため、応答器の抑圧手段の構成が簡単になる。
【０００８】
請求項３に記載の通信システムの応答器は、前記抑圧手段が、前記パターン発生手段により発生される前記パターンに基づいて周波数特性を切り替えることを特徴とする。
請求項３によると、パターンにより切り替わる副搬送波の周波数に基づいて抑圧手段の周波数特性が設定されるため、最適な周波数特性を選択することができる。
【０００９】
請求項４に記載の通信システムの応答器は、前記抑圧手段が、前記周波数特性としてのカットオフ周波数を、実質的に前記副搬送波の周波数の１／２以上、且つ実質的に前記副搬送波の周波数以下に設定することを特徴とする。
請求項４によると、副搬送波の抑圧を抑えるとともに、高調波を抑圧することができる。
【００１０】
請求項５に記載の通信システムの応答器は、前記抑圧手段が、前記周波数特性としてのカットオフ周波数を、カットオフ周波数に対し２を公比とする等比数列の項の倍率に従って設定することを特徴とする。
請求項５によると、副搬送波の周波数に対応させるために抑圧手段の周波数特性を切り替える場合でも、所定の抑圧性能を保ちながら連続した広範囲の副搬送波周波数に対応することができる。また、周波数特性の異なるＣＲフィルタの数を少なくすることができる。
【００１１】
請求項６に記載の通信システムの応答器は、前記抑圧手段が、コンデンサと抵抗とで異なる前記周波数特性としてのカットオフ周波数の組み合わせが構成され、前記コンデンサまたは前記抵抗の接続を切り替えることで前記周波数特性としてのカットオフ周波数を切り替えることを特徴とする。
請求項７に記載の通信システムの応答器は、前記抑圧手段が、コンデンサと可変抵抗と、または可変容量コンデンサと抵抗とを有し、前記可変抵抗の抵抗値、または前記可変容量コンデンサの容量値を変化させることで前記周波数特性としてのカットオフ周波数を切り替えることを特徴とする。
請求項８に記載の通信システムの応答器は、前記１次変調手段が、前記１次変調波を出力する複数の出力ポートを備え、前記１次変調波は、前記１次変調手段の複数の前記出力ポートに分けて、または特定の前記出力ポートから出力され、前記抑圧手段が、複数の前記出力ポートに夫々接続される複数の入力ポートを備え、前記１次変調波が入力された夫々の前記入力ポートに対応して前記周波数特性としてのカットオフ周波数を切り替えることを特徴とする。
請求項６、請求項７、請求項８によると、簡単な構成で抑圧手段の周波数特性を切り替えることができる。
【００１２】
請求項９に記載の通信システムの応答器は、前記副搬送波が、前記パターン発生手段により発生される前記パターンに基づいて複数の周波数の中で周波数ホッピングされるとともに、前記抑圧手段が、グループ化された、前記パターン発生手段により発生されるパターンの示す副搬送波の周波数に対応した所定の前記周波数特性を選択して切り替えることを特徴とする。
請求項９によると、副搬送波の周波数を均等配列せず、任意の周波数のグループに分けて設定することができる。
【００１３】
【発明の実施の形態】
以下、本発明に係る一実施の形態について図面を参照しつつ説明する。図１は、本実施の形態に係る通信システム１の構成例を示す図である。
図１に示すように、通信システム１は、質問器２と応答器３ａ〜３ｃとで構成される。通信システム１における通信は、質問器２から応答器３ａ〜３ｃに対して主搬送周波数Ｆｃ１の質問波を送信し、この質問波を受信した応答器３ａ〜３ｃが、夫々自己が持つ返信情報により変調された副搬送波周波数ｆ１〜ｆ３により２次変調された反射波Ｆ１，Ｆ２，Ｆ３を質問器２に返信することにより行われる。副搬送波周波数ｆ１〜ｆ３の各周波数は、周波数ホッピング方式により周波数ｆｓｃ１〜ｆｓｃ４５の範囲で応答器３ａ〜３ｃ毎に擬似ランダムに決定された周波数である。このように応答器３ａ〜３ｃ毎に副搬送波の周波数が異なるため、質問器２と不特定多数の応答器３ａ〜３ｃとの多重通信が可能となる。尚、図１では質問器２が１台に応答器３ａ〜３ｃが３台の構成であるが、夫々の台数は通信システム１の規模や使用環境によって任意に設定することが可能である。
【００１４】
次に、応答器３ａ〜３ｃの構成について図２を参照しつつ説明する。図２は、通信システム１を構成する応答器３ａの構成を示す回路図である。尚、応答器３ｂ、３ｃの構成は応答器３ａと実質的に同等であり、応答器３ａの説明が適用できるため応答器３ｂ、３ｃの詳細は省略する。
【００１５】
応答器３ａは、変復調部１０と、抑圧部２０と、発振器３１と、１次変調器３２と、パターンジェネレータ３３と、アンテナ４０とを有している。
変復調部１０は、コイル１１，１３と、ダイオード１２とから構成される。変復調部１０は、アンテナ４０が受信した質問波を復調して図示しないコントローラに出力する。また、抑圧部２０を介して入力される副搬送波により、アンテナ４０が受信した質問波の反射波を２次変調してアンテナ４０から質問器２に送信する。
【００１６】
抑圧部２０は、抵抗２１と、コンデンサ２２ａ〜２２ｄと、切り替え器２５とから構成される。切り替え器２５は、スイッチ２６ａ〜２６ｄを有し、パターンジェネレータ３３により入力される擬似ランダムパターンの内容に従ってスイッチ２６ａ〜２６ｄを選択的に接続する。スイッチ２６ａ〜２６ｄが接続されると、スイッチ２６ａ〜２６ｄに夫々対応するコンデンサ２２ａ〜２２ｄとグランドとが選択的に接続される。抑圧部２０は抵抗２１とグランドに接続されたコンデンサ２２ａ〜２２ｄとで構成されるＣＲフィルタ（ローパスフィルタ）により１次変調器３２から入力される副搬送波の高調波を抑圧する。抑圧部２０で構成されるＣＲフィルタのカットオフ周波数は、グランドに接続されたコンデンサ２２ａ〜２２ｄを切り替えることにより設定される。コンデンサ２２ａ〜２２ｄをグランドに接続すると抑圧部２０のカットオフ周波数は夫々ｆｃ１〜ｆｃ４に設定される。
【００１７】
発振器３１は、パターンジェネレータ３３から入力される擬似ランダムパターンの内容に従って決定される周波数の副搬送波を発振し、発振された副搬送波を１次変調器３２に出力する。
１次変調器３２は、発振器３１から入力される副搬送波を、図示しないコントローラから入力される情報Ｄａｔａに基づいて１次変調し、１次変調された副搬送波は抑圧部２０に出力される。
【００１８】
パターンジェネレータ３３は、擬似ランダムに副搬送波周波数のパターンを発生させるものである。周波数ホッピング方式のスペクトラム拡散方式に用いられる拡散符号系列には、所定の帯域内で一様なスペクトルを持ち、また復調が容易な周期性を持つ擬似ランダム系列を用いることが好ましい。そのため、擬似ランダムパターンの発生には、擬似ランダム系列として公知の技術である線形フィードバックシフトレジスタ符号発生器（ＬＦＳＲ：ｌｉｎｅａｒ  ｆｅｅｄｂａｃｋ  ｓｈｉｆｔ  ｒｅｇｉｓｔｅｒ）を用いている。パターンジェネレータ３３に用いられているＬＦＳＲは４段のシフトレジスタと４段の状態の論理結合をシフトレジスタの入力へフィードバックする論理回路とで構成されている。パターンジェネレータ３３により発生された擬似ランダムパターンは発振器３１と抑圧部２０の切り替え器２５とに出力されている。
【００１９】
次に、抑圧部２０の詳細について、図３、図４を参照しつつ説明する。図３は、一般的なローパスフィルタの減衰特性と、カットオフ周波数に対する基本波と３次高調波の比率Ｒを示す図であり、図４は、抑圧部２０の減衰特性を示す図である。
抑圧部２０によって構成されるローパスフィルタは、抵抗２１と、コンデンサ２２ａ〜２２ｄで構成されるＣＲフィルタである。まず、ＣＲフィルタの特性から、使用可能なカットオフ周波数の決定方法について説明する。ＣＲフィルタのゲインＧは、コンデンサの容量をＣ、抵抗の抵抗値をＲとすると、
【数１】
2004297686.tif 000003
となる。そして、カットオフ周波数をｆｃ＝１／２πＣＲとすると、
【数２】
2004297686.tif 000004
となる。カットオフ周波数が副搬送波の基本波の周波数となるＣＲフィルタの場合（図３の横軸においてｆ／ｆｃ＝１）は、基本波のゲインＧは約０．７１となり、基本波の３次高調波の減衰率Ｇは約０．３２となるのが分かる。そして、矩形波による３次高調波の大きさは、基本波の大きさの１／３であるので、カットオフ周波数が基本波の周波数であるＣＲフィルタにおける基本波と３次高調波との大きさの比Ｒは約６．７（１６．５ｄＢ）となり、３次高調波を十分に抑圧しているのが分かる。図３に示すように、カットオフ周波数が基本波の周波数より高い場合（図３の横軸においてｆ／ｆｃ＜１の領域）は、基本波の周波数が小さくなるに従って基本波と３次高調波との比Ｒが６．７より小さくなっていくため効率が悪くなるのが分かる。
【００２０】
一方、カットオフ周波数が基本波の１／２の周波数となるＣＲフィルタの場合（図３の横軸においてｆ／ｆｃ＝２）は、基本波の減衰率Ｇは約０．４４であり、基本波の３次高調波の減衰率Ｇは約０．１６であるので、カットオフ周波数が基本波の周波数の１／２であるＣＲフィルタにおける基本波と３次高調波との大きさの比Ｒは約８．２（約１８ｄＢ）となる。通常、基本波として使用可能な減衰率Ｇの限界値は０．５程度であることを考えると、抑圧部２０においては、ＣＲフィルタのカットオフ周波数を、基本波の３次高調波を十分抑圧することができる基本波の周波数と同等、且つ基本波の抑圧を減衰率０．４４に抑えることができる基本波の周波数の１／２倍以下の範囲で設定することが望ましいことが分かる。
【００２１】
言い換えれば、カットオフ周波数がｆｃ１となるＣＲフィルターにおいては、上述した条件、つまり基本波の減衰率Ｇが０．７８〜０．４４、且つ基本波の３次高調波の減衰率が０．３２〜０．１６を満たす基本波の周波数は、カットオフ周波数ｆｃ１と同等の周波数ｆｃ１以上、且つカットオフ周波数ｆｃ１の２倍の周波数ｆｃ２（ｆｃ１×２）未満の範囲であればよい。
【００２２】
前述したように、カットオフ周波数がｆｃ１となるＣＲフィルタにおいて、基本波の周波数がｆｃ１以上、且つｆｃ２未満の範囲であればよいとすれば、カットオフ周波数が前記カットオフ周波数に対し２を公比とする等比数列の項の倍率に従って設定された複数のＣＲフィルタを選択的に切り替えることで、広範囲の副搬送波の周波数に対して高調波を抑圧することが可能であることが分かる。幅がｆｃ２−ｆｃ１である周波数帯域に割当てることができる周波数ホッピングのチャンネル数Ｎは、１チャンネル当りに必要な周波数の帯がｆｃｈとすると、
【数３】
2004297686.tif 000005
となる。ここでｉｎｔは、整数化を表している。
【００２３】
次に、抑圧部２０の特性について説明する。抑圧部２０は、切り替え器２５により、コンデンサ２２ａ〜２２ｄが選択的にグランドに接続されることでカットオフ周波数がｆｃ１〜ｆｃ４のＣＲフィルタを構成することが可能である。図４に示すように、ｆｃｈがｆｃ１の１／３の周波数の幅を有しているとすると、カットオフ周波数がｆｃ１に設定されたＣＲフィルタにおいては、チャンネル数３（ＣＨ１〜ＣＨ３）の副搬送波周波数ｆｓｃ１〜ｆｓｃ３の高調波を抑圧することができる。また、カットオフ周波数がｆｃ２に設定されたＣＲフィルタにおいては、カットオフ周波数をｆｃ１に設定されたＣＲフィルタの倍の範囲を抑圧することができるため、チャンネル数６（ＣＨ４〜ＣＨ９）の副搬送波周波数ｆｓｃ４〜ｆｓｃ９の高調波を抑圧することができる。同様にカットオフ周波数をｆｃ３、ｆｃ４に設定されたＣＲフィルタにおいては、夫々チャンネル数１２（ＣＨ１０〜ＣＨ２１）、チャンネル数２４（ＣＨ２２〜ＣＨ４５）の副搬送波の高調波を抑圧することができる。つまり抑圧部２０は、副搬送波の周波数に応じてコンデンサ２２ａ〜２２ｄを切り替えることでチャンネル数４５（ＣＨ１〜ＣＨ４５）の副搬送波の高調波を抑圧することができる。
【００２４】
次に、応答器３ａ〜３ｃの動作について図８〜１０を参照して説明する。図８は、各応答器３ａ〜３ｃにおける副搬送波の周波数を示した図である。図９は、応答器３ａ及び３ｂにおけるＳＷ１〜４による副搬送波の周波数の変化を示した図である。図１０は、質問器２における応答器３ａと３ｂとから返信された反射波の受信状態を示した図である。まず、質問器２から質問波が送信される。質問器２から送信された質問波は応答器３ａ〜３ｃのアンテナ４０により受信される。アンテナ４０で受信された質問波は変復調器１０で復調され、図示しないコントローラへ出力される。コントローラは変復調器１０により復調された質問波の内容に基づいて、応答器３ａ〜３ｃから質問器２へ送信する情報Ｄａｔａを作成する。また、この際コントローラは、パターンジェネレータ３３に擬似ランダムパターンｐｔｎ１、ｐｔｎ２、ｐｔｎ３・・・を発生するように指示する。
【００２５】
コントローラにより擬似ランダムパターンの発生を指示されたパターンジェネレータ３３は、図８，図９に示すように擬似ランダムパターンｐｔｎ１、ｐｔｎ２・・・を発生し、発振器３１と抑圧部２０の切り替え器２５とに出力する。発振器３１はパターンジェネレータ３３から入力された擬似ランダムパターンに基づいて決定される周波数の副搬送波ｆｓｃ１〜ｆｓｃ４を発振させる。発振器３１により発振された副搬送波は、１次変調器３２によりコントローラから入力された情報Ｄａｔａに基づいて１次変調される。
【００２６】
抑圧部２０は、パターンジェネレータ３３から入力された擬似ランダムパターンに基づいて、切り替え器２５により対応するコンデンサ２２ａ〜２２ｃとグランドとを選択的に接続することで、発振器３１により発生される副搬送波の周波数に対応したＣＲフィルタを構成する。そして、１次変調器３２により１次変調された副搬送波は抑圧部２０により高調波を抑圧される。変復調器１０は高調波が抑圧された副搬送波によりアンテナ４０で受信した質問波を２次変調し、２次変調された質問波は、アンテナ４０により反射波として質問器２に送信される。
【００２７】
応答器３ａ及び３ｂから送信された反射波は質問器２のアンテナで受信され、反射波はホモダイン検波により図１０に示すように各応答器３ａ及び３ｂからの副搬送波信号が混ざった信号として復調される。副搬送波信号が混ざった信号は、帯域分割フィルタにより、応答器３ａ及び３ｂの変調された副搬送波信号として取り出される。夫々の副搬送波信号はさらに復調されて情報信号を取り出される。ここで、目的の応答器３ａの副搬送波信号と、他の応答器３ｂの３次高調波が重なる場合もあるが、３次高調波は上述したように、抑圧されているので、目的の応答器３ａの情報Ｄａｔａが取り出されるのである。取り出された夫々の情報信号は、各チャンネルからの出力を適切なフレームに分離された後、各応答器３ａ及び３ｂ毎に仕分けられ、時系列に連結されて情報として再構築される。再構築された各情報は質問器２のコントローラにより処理される。
【００２８】
＜第１の変形例＞
次に、応答器３ａ〜３ｃの第１の変形例について図５を参照しつつ説明する。図５は、応答器３ａの第１の変形例の構成を示す回路図である。尚、応答器３ｂ，３ｃの構成は応答器３ａと実質的に同等であり、応答器３ａの説明が適用できるため応答器３ｂ，３ｃの詳細は省略する。
応答器３ａは、図５に示すような構成でもよい。つまり、抑圧部２０ａは抵抗２１ａ〜２１ｄと、コンデンサ２２と、切り替え器２５とから構成され、切り替え器２５は、スイッチ２８ａ〜２８ｄを有し、パターンジェネレータ３３により入力される擬似ランダムパターンの内容に従ってスイッチ２８ａ〜２８ｄを選択的に接続する。スイッチ２８ａ〜２８ｄが接続されると、スイッチ２８ａ〜２８ｄに夫々対応する抵抗２１ａ〜２１ｄと１次変調器３２とが選択的に接続される。抑圧部２０ａはコンデンサ２２と１次変調器３２に接続された抵抗２１ａ〜２１ｄとで構成されるＣＲフィルタにより１次変調器３２から入力される副搬送波の高調波を抑圧する。抑圧部２０ａで構成されるＣＲフィルタのカットオフ周波数は、１次変調器３２に接続された抵抗２１ａ〜２１ｄを切り替えることにより設定される。抵抗２１ａ〜２１ｄを１次変調器に接続すると抑圧部２０ａのカットオフ周波数は夫々ｆｃ１〜ｆｃ４に設定される。
【００２９】
＜第２の変形例＞
次に、応答器３ａ〜３ｃの第２の変形例について図６を参照しつつ説明する。図６は、応答器３ａの第１の変形例の構成を示す回路図である。尚、応答器３ｂ，３ｃの構成は応答器３ａと実質的に同等であり、応答器３ａの説明が適用できるため応答器３ｂ，３ｃの詳細は省略する。
応答器３ａは、図６に示すような構成でもよい。つまり、１次変調器３２は、抑圧部２０ｂに出力する４つの出力ポートを備え、図示しないコントローラから入力された情報により１次変調された副搬送波を出力ポートから出力する。副搬送波をいずれの出力ポートから出力するかは発振器３１から入力される副搬送波の周波数により決定される。
また、抑圧部２０ｂは抵抗２１ａ〜２１ｄと、コンデンサ２２とから構成される。抑圧部２０ｂはコンデンサ２２と抵抗２１ａ〜２１ｄとで構成されるＣＲフィルタにより１次変調器３２の各出力ポートから入力される副搬送波の高調波を抑圧する。抑圧部２０ｂで構成されるＣＲフィルタのカットオフ周波数は、入力ポート毎に設定されており、夫々ｆｃ１〜ｆｃ４に設定されている。
【００３０】
＜第３の変形例＞
次に、応答器３ａ〜３ｃの第３の変形例について図７を参照しつつ説明する。図７は、応答器３ａの第３の変形例の構成を示す回路図である。尚、応答器３ｂ，３ｃの構成は応答器３ａと実質的に同等であり、応答器３ａの説明が適用できるため応答器３ｂ，３ｃの詳細は省略する。
応答器３ａは、図７に示すような構成でもよい。つまり、抑圧部２０ｃは抵抗２１，２４と、コンデンサ２２と、バリキャップ２３と、Ｄ／Ａ変換器２９とから構成される。抑圧部２０ｃは、パターンジェネレータ３３から出力される擬似ランダムパターンのデータをアナログ変換して抵抗２４に流す電流値を変化させ、これによりバリキャップ２３に係る電圧を切り替えてカットオフ周波数を設定する。抑圧部２０ｃは抵抗２１とコンデンサ２２とバリキャップ２３とで構成されるＣＲフィルタにより１次変調器３２から入力される副搬送波の高調波を抑圧する。抑圧部２０ｃで構成されるＣＲフィルタのカットオフ周波数は、パターンジェネレータ３３の値に基づいてｆｃ１〜ｆｃ４に設定される。
【００３１】
以上、説明した本実施の形態では、抑圧部２０により広範囲の副搬送波の高調波が抑圧されるため、応答器３ａ〜３ｃが異なる副搬送波を用いて質問器２に情報を送信する際に、応答器３ａ〜３ｃの副搬送波と、他の応答器３ａ〜３ｃの高調波との混信を少なくすることができる。
【００３２】
また、切り替え器２５によりＣＲフィルタのカットオフ周波数を切り替え可能であるため、副搬送波の周波数が広範囲に変化した場合でも、最適なカットオフ周波数に切り替えることで、十分に副搬送波の高調波を抑圧することができる。
【００３３】
また、パターンジェネレータ３３により発生される擬似ランダムパターンにより、発振器３１と切り替え器２５とを同期させるため、副搬送波の周波数が変化した場合でも、最適なカットオフ周波数に切り替えることができ、十分に副搬送波の高調波を抑圧することができる。
【００３４】
また、抑圧部２０は、カットオフ周波数を副搬送波の周波数の１／２以上、且つ副搬送波の周波数以下に設定するため、副搬送波の減衰を抑えるとともに、高調波を抑圧することができる。
【００３５】
また、抑圧部２０は、カットオフ周波数をカットオフ周波数に対し２を公比とする等比数列の項の倍率に従って設定するため、副搬送波の周波数に対応させるためにカットオフ周波数を切り替える場合でも、所定の性能を保ちながら連続した広範囲の副搬送波周波数に対応することができる。また、カットオフ周波数の異なるＣＲフィルタの数を少なくすることができるため、抑圧部２０の部品点数を少なくすることができる。
【００３６】
また、抑圧部２０は、コンデンサ２２ａ〜２２ｄを選択的にグランドと接続することで抵抗２１とコンデンサ２２ａ〜２２ｄとの組み合わせを変化させるという簡単な構成でカットオフ周波数を切り替えることができる。
【００３７】
また、パターンジェネレータ３３から入力される擬似ランダムパターンに従って切り替え器２５によりカットオフ周波数を切り替えることができるため、副搬送波の周波数を均等配列せず、複数の周波数のグループに分けて設定することができる。
【００３８】
以上、本発明の実施の形態について説明したが、本発明は上述の実施の形態に限られるものではなく、特許請求の範囲に記載した限りにおいて、様々な設計変更が可能なものである。例えば実施の形態では、パターンジェネレータ３３により発生された擬似ランダムパターンに基づいて副搬送波の周波数と抑圧部２０のカットオフ周波数とを同期させる構成であるが、このような構成に限定されるものではなく、抑圧部２０のカットオフ周波数が副搬送波の周波数に対応する所定のパターンに従って設定される等、パターンジェネレータ３３から独立してカットオフ周波数が設定されるような構成にしてもよい。
【００３９】
また、実施の形態では、抑圧部２０は、カットオフ周波数が副搬送波の周波数の１／２以上、且つ副搬送波の周波数以下に設定される構成であるが、このような構成に限定されるものではなく、副搬送波の高調波が抑圧されるカットオフ周波数であれば他の範囲において、カットオフ周波数が設定される構成でもよい。
【００４０】
また、実施の形態では、抑圧部２０は、カットオフ周波数をカットオフ周波数に対し２を公比とする等比数列の項の倍率に従って設定される構成であるが、このような構成に限定されるものではなく、任意のカットオフ周波数に設定される構成でもよい。
【００４１】
また、実施の形態では、抑圧部２０はＣＲフィルタを構成するコンデンサ２０ａ〜２０ｄが選択的に切り替えられることでカットオフ周波数が設定される構成であるが、このような構成に限定されるものではなく、パターンジェネレータ３３からの擬似ランダムパターン出力をＤ／Ａ変換し、そのアナログ値に基づいて可変抵抗素子の抵抗値を変化させることでカットオフ周波数を設定される構成でもよい。
【００４２】
また、実施の形態では、周波数特性としてカットオフ周波数を切り替える構成であるが、このような構成に限定されるものではなく、抑圧手段としてのフィルタの次数やフィルタ部品のＱ値を切り替える構成でもよい。
【００４３】
【発明の効果】
本発明によると、複数の応答器が異なる副搬送波を用いて質問器に情報を送信する際に、応答器の副搬送波と他の応答器の高調波との混信を少なくすることができる。
【図面の簡単な説明】
【図１】本実施の形態に係る通信システムの構成例を示す図である。
【図２】図１に示す応答器の構成を示す回路図である。
【図３】一般的なローパスフィルタの減衰特性を示す図である。
【図４】図１に示す応答器の抑圧部の減衰特性を示す図である。
【図５】第１の変形例の応答器の構成を示す回路図である。
【図６】第２の変形例の応答器の構成を示す回路図である。
【図７】第３の変形例の応答器の構成を示す回路図である。
【図８】図１に示す応答器における副搬送波の周波数を示した図である。
【図９】図１に示す応答器における副搬送波の周波数の変化を示した図である。
【図１０】図１に示す質問器における応答器から返信された反射波の受信状態を示した図である。
【符号の説明】
１  通信システム
２  質問器
３ａ〜３ｃ  応答器
１０  変復調部
２０  抑圧部
２１  抵抗
２２ａ〜２２ｄ  コンデンサ
２５  切り替え器
２６ａ〜２２ｄ  スイッチ
３１  発振器
３２  １次変調器
３３  パターンジェネレータ
４０  アンテナ
【図１】
2004297686.tif 000006
【図２】
2004297686.tif 000007
【図３】
2004297686.tif 000008
【図４】
2004297686.tif 000009
【図５】
2004297686.tif 000010
【図６】
2004297686.tif 000011
【図７】
2004297686.tif 000012
【図８】
2004297686.tif 000013
【図９】
2004297686.tif 000014
【図１０】
2004297686.tif 000015